(57)【要約】【課題】放送受信機で録画した番組をインターネットで配信する場合に、放送サービス事業者とその契約者の利益を損なわないよう、配信する番組の制限や配信先の認証を適切に行うこと。【解決手段】放送受信機Ａが番組をインターネット経由で他の放送受信機からダウンロードする場合、サービス事業者センタに対して該番組をダウンロード可能な放送受信機に関する情報を要求する。サービス事業者センタは、該放送受信機Ａが正式な契約者であり、正規に認定された機器であることを確認した後、契約している放送受信機のインデックス情報を取得し、該番組をダウンロード可能な放送受信機Ｂを抽出する。放送受信機Ａが放送受信機Ｂに対して該番組の送信を要求すると、放送受信機Ｂは該番組を放送受信機Ａにインターネット経由で送信する。【選択図】  図９
2004260638.tif 000002
【特許請求の範囲】
【請求項１】
放送番組を受信する受信機であって、
ネットワークを介して通信する通信手段と、
サービス事業者との間の認証に関する情報を記憶する認証情報記憶手段と、
サービス事業者のネットワークアドレスを取得するサービス元アドレス取得手段と、
自らのネットワークアドレスを生成あるいはサービス事業者から取得する自アドレス取得手段と、
前記認証情報記憶手段において記憶されている情報に基づいてサービス事業者から送信される他の放送受信機のネットワークアドレスを取得する配信元アドレス取得手段と、
前記配信元アドレス取得手段において取得したネットワークアドレスが示す放送受信機に対してネットワーク経由で所望の番組の送信要求を発行する番組送信要求手段と、
ネットワーク経由で前記他の放送受信機から送信される前記番組を受信する番組受信手段と、
を備えてなることを特徴とする受信機。
【請求項２】
請求項１に記載の受信機であって、
放送信号を受信する放送受信手段と、
受信した放送番組を録画メモリ上に録画する番組録画手段と、
前記番組録画手段で録画した番組の内、サービス事業者との契約情報に含まれる番組に関する情報と、その番組が前記録画メモリ上に現在存在するか否かを示す情報を含んだインデックス情報と、を生成するインデックス情報生成手段と、
他の放送受信機がネットワーク経由で発行した番組の送信要求を受信する番組要求受信手段と、
前記送信要求を発行した放送受信機に対して録画メモリ上に格納している前記番組をネットワーク経由で送信する番組送信手段と、を備え、
前記認証情報記憶手段には、前記サービス事業者との契約情報に含まれる番組に関する情報、または、前記インデックス情報が記憶されてなることを特徴とする受信機。
【請求項３】
請求項１または２に記載の受信機であって、
サービス事業者から契約情報を取得する契約情報取得手段と、
前記契約情報を格納する契約情報格納手段と、
前記格納した契約情報の内容を変更する契約情報変更手段と、
前記サービス元アドレス取得手段において取得したネットワークアドレスを格納するサービス元アドレス格納手段と、
前記格納したネットワークアドレスを変更するサービス元アドレス変更手段と、
前記自アドレス取得手段において取得したネットワークアドレスを格納する自アドレス格納手段と、
前記格納したネットワークアドレスを変更する自アドレス変更手段と、
前記格納したネットワークアドレスをサービス事業者に通知する自アドレス通知手段と、
前記インデックス情報生成手段において生成されたインデックス情報を格納するインデックス情報格納手段と、
前記格納したインデックス情報の内容を変更するインデックス情報変更手段と、
を備えたことを特徴とする受信機。
【請求項４】
請求項３に記載の受信機であって、
前記インデックス情報格納手段で格納したインデックス情報の内容の一部あるいは全てをネットワーク経由で送信するインデックス情報送信手段と、
を備えたことを特徴とする受信機。
【請求項５】
請求項３または４に記載の受信機であって、
前記インデックス情報格納手段で格納したインデックス情報の内容の一部あるいは全てをネットワーク経由で送信することを要求したメッセージを受信するインデックス情報送信要求受信手段と、
を備えたことを特徴とする受信機。
【請求項６】
請求項４または５に記載の受信機であって、
前記インデックス情報格納手段で格納したインデックス情報をネットワーク経由で送信することを許可するか否かを設定するインデックス情報公開設定手段と、
前記インデックス情報公開設定手段に基づき、前記インデックス情報をネットワーク経由で送信するか否かを判断するインデックス情報送信判断手段と、
を備えたことを特徴とする受信機。
【請求項７】
請求項３ないし６のいずれかに記載の受信機であって、
前記契約情報格納手段で格納した契約情報に含まれる番組の番組表を取得する番組表取得手段と、
前記番組表取得手段により取得した番組表を蓄積する番組表蓄積手段と、
前記蓄積した番組表をモニタ上に表示する番組表表示手段と、
を備えたことを特徴とする受信機。
【請求項８】
請求項７に記載の受信機であって、
前記番組表蓄積手段で蓄積する番組表は、現時点からある一定期間前までの番組表を常に格納し更新することを特徴とする受信機。
【請求項９】
請求項７または８に記載の受信機であって、
前記番組表表示手段により表示した番組表の中から、ユーザがネットワーク経由で取得する番組を選択する番組選択手段と、
を備えたことを特徴とする受信機。
【請求項１０】
請求項７ないし９のいずれかに記載の受信機であって、
前記インデックス情報の内容を参照し、前記番組表表示手段により表示する番組表上に前記インデックス情報に存在する番組と存在していない番組を識別できるように表示する手段と、
を備えたことを特徴とする受信機。
【請求項１１】
請求項１から１０のいずれかに記載の受信機であって、
ネットワーク上に存在する複数の放送受信機の中から任意の放送受信機を抽出し、グループを作成するグループ作成手段と、
前記作成したグループを格納するグループ格納手段と、
前記格納したグループの内容を変更するグループ変更手段と、
を備え、
前記グループのメンバである受信機に対してのみネットワーク経由で記録メモリ上に録画した放送番組を送信することを特徴とする受信機。
【請求項１２】
請求項１１に記載の受信機であって、
前記グループ作成手段により複数のグループを作成し、前記グループ格納手段により複数のグループを格納し、ネットワーク経由で放送番組を送信する際に複数のグループから任意のグループを選択することを特徴とする受信機。
【請求項１３】
請求項１から１２のいずれかに記載の受信機であって、
前記録画メモリ上に録画したことがない放送番組だけがインターネット経由で取得できることを特徴とする受信機。
【請求項１４】
放送信号を送信する放送局と、前記放送信号を受信する複数の放送受信機と、前記放送局から特定の契約者に対して番組を配信する放送サービス事業者が設置したサービスセンタとからなり、前記放送受信機と前記サービスセンタがネットワーク接続されている放送受信システムにおいて、
前記放送受信機は、
ネットワークを介して通信する通信手段と、
サービスセンタから契約情報を取得する契約情報取得手段と、
前記契約情報を格納する契約情報格納手段と、
前記格納した契約情報の内容を変更する契約情報変更手段と、
サービスセンタのネットワークアドレスを取得するサービス元アドレス取得手段と、
前記取得したネットワークアドレスを格納するサービス元アドレス格納手段と、
前記格納したネットワークアドレスを変更するサービス元アドレス変更手段と、
自機器のネットワークアドレスを生成あるいはサービスセンタから取得する自アドレス取得手段と、
前記取得したネットワークアドレスを格納する自アドレス格納手段と、
前記格納したネットワークアドレスを変更する自アドレス変更手段と、
前記格納したネットワークアドレスをサービスセンタに通知する自アドレス通知手段と、
受信した放送番組を録画メモリ上に録画する手段と、
前記番組録画手段で録画した番組の内、前記契約情報に含まれる番組に関する情報と、その番組が前記録画メモリ上に現在存在するか否かを示す情報を含んだインデックス情報を生成するインデックス情報生成手段と、
前記インデックス情報を格納するインデックス情報格納手段と、
前記格納したインデックス情報の内容を変更するインデックス情報変更手段と、
前記インデックス情報格納手段で格納したインデックス情報の内容の一部あるいは全てをネットワーク経由で送信することを要求したメッセージを受信するインデックス情報送信要求受信手段と、
前記インデックス情報格納手段で格納したインデックス情報の内容の一部あるいは全てをネットワーク経由で送信するインデックス情報送信手段と、
サービスセンタから他の放送受信機のネットワークアドレスを取得する配信元アドレス取得手段と、
前記取得したネットワークアドレスが示す放送受信機に対してネットワーク経由で所望の番組の送信要求を発行する番組送信要求手段と、
ネットワーク経由で前記放送受信機から送信される前記番組を受信する番組受信手段と、
他の放送受信機がネットワーク経由で発行した番組の送信要求を受信する番組要求受信手段と、
前記送信要求を発行した放送受信機に対して録画メモリ上に格納している前記番組をネットワーク経由で送信する番組送信手段と、
を備え、
前記サービスセンタは、
ネットワークを介して通信する通信手段と、
契約者を一意に特定するＩＤと契約者の使用する放送受信機のネットワークアドレスを含む契約者情報を生成する契約者情報生成手段と、
を備え、
ユーザが第一の放送受信機に対して所望の番組をネットワーク経由で取得することを要求した場合、
前記第一の放送受信機は、ネットワーク経由でサービスセンタに対して前記番組を格納した第二の放送受信機を検索することを要求し、
前記要求を受信したサービスセンタは、前記契約者情報に含まれる放送受信機の中から前記番組を格納した第二の放送受信機を抽出し、ネットワーク経由で前記第一の放送受信機に対して前記第二の放送受信機のネットワークアドレスを送信し、
前記ネットワークアドレスを受信した前記第一の放送受信機は、前記第二の放送受信機に対してネットワーク経由で前記番組を送信することを要求し、
前記要求を受信した前記第二の放送受信機は録画メモリ上に格納した前記番組をネットワーク経由で前記第一の放送受信機に対して送信することを特徴とする放送受信システム。
【請求項１５】
請求項１４に記載の放送受信システムであって、
前記放送受信機がユーザの指示した所望の番組をサービスセンタに要求する場合、前記番組を録画メモリ上に録画したことがあるか否かを前記インデックス情報に基づき判断し、前記番組を録画していない場合のみサービスセンタへ要求することを特徴とする放送受信システム。
【請求項１６】
請求項１４または１５に記載の放送受信システムであって、
前記放送受信機が、
前記インデックス情報格納手段で格納したインデックス情報をネットワーク経由で送信することを許可するか否かを設定するインデックス情報公開設定手段と、
前記インデックス情報公開設定手段に基づき、前記インデックス情報をネットワーク経由で送信するか否かを判断するインデックス情報送信判断手段と、を備え、
サービスセンタが、
前記契約者情報に含まれる放送受信機が前記インデックス情報をネットワーク経由で送信することを許可しているか否かを取得するインデックス情報設定取得手段と、を備え、
サービスセンタは、インデックス情報の送信を許可している放送受信機からのみインデックス情報を取得することを特徴とした放送受信システム。
【請求項１７】
請求項１４ないし１６のいずれかに記載の放送受信システムであって、
前記放送受信機が、
ネットワーク上に存在する複数の放送受信機の中から任意の放送受信機を抽出し、グループを作成するグループ作成手段と、
前記作成したグループを格納するグループ格納手段と、
前記格納したグループの内容を変更するグループ変更手段と、
前記格納したグループの内容をサービスセンタに通知するグループ送信手段と、を備え、
サービスセンタが、
前記放送受信機から前記グループ内容を受信するグループ受信手段と、
前記受信したグループ内容を格納するグループ格納手段と、
前記格納したグループ内容を変更するグループ変更手段と、を備え、
第一の放送受信機から任意の番組を格納した放送受信機の検索を要求されたサービスセンタは、第一の放送受信機が所属するグループの中から前記番組を格納した第二の放送受信機を抽出することを特徴とする放送受信システム。
【発明の詳細な説明】
【０００１】
【発明の属する技術分野】
本発明は、デジタル放送サービスにより配信される番組を受信する受信機とシステムに係り、特に前記放送サービスに加入している利用者の間で記録済みコンテンツを交換する方法に関するものである。
【０００２】
【従来の技術】
近年デジタル放送技術の確立に伴い、放送衛星を使用する衛星放送システムではデジタル放送が開始され、さらに地上波放送システムにおいてもデジタル放送への移行が実現されつつある。サービスとしては、無料放送に加え、受信契約が必要な有料放送、視聴／録画した分だけ料金を払うＰＰＶ（ペイ・パー・ビュー）放送などが提供されている。これに伴い、前記デジタル放送を受信するデジタル放送受信機、受信放送番組を録画・再生するデジタルＶＴＲ、デジタルＨＤＤ録画装置などのデジタルＡＶ機器が次々と製品化されている。また、これらのデジタルＡＶ機器の間をＩＥＥＥ１３９４バスやＵＳＢなどのデジタル制御バスで接続し、各機器間でＡＶストリームや制御信号を双方向通信することが可能になった。
【０００３】
その一方で、ＰＣなどの情報機器やＡＤＳＬなど通信インフラの普及により、家庭内においても常時インターネット接続環境が整ってきている。また、Ｐ２Ｐ（ピア・ツー・ピア）と呼ばれる技術を利用することにより、各個人の情報機器やデジタルＡＶ機器がインターネット上で直接通信し、ファイルやメッセージを交換することが可能となる。これにより、インターネット経由で音楽や映画などのコンテンツ配信が容易に可能になってきた。従来の記載のＨＤＤ録画装置では、録画したコンテンツをインターネット経由で他のユーザに転送できる機能が搭載されている。該機能では、前記ＨＤＤ録画装置の間に限りコンテンツ転送ができ、転送先は前記ＨＤＤ録画装置の製造番号を知っているユーザのみに限定されている（例えば、非特許文献１参照。）。
【０００４】
【非特許文献１】
日経エレクトロニクス２００１年１１月１９日号、ｐ．２９−３０
【０００５】
【発明が解決しようとする課題】
現状の有料放送やＰＰＶ放送では月極で一定額を課金する契約が主流である。この場合、ほとんど視聴しなかったユーザや録画（予約録画を含む）に失敗したユーザにとっては料金が割高になり、不利益な結果となる。
【０００６】
また、前記ＨＤＤ録画装置のようにインターネット経由で音楽や映画などのコンテンツを配信する場合は、コンテンツの著作権保護を考慮した配信システムが必要となる。
【０００７】
本発明は、上記内容を鑑み、有料放送を利用するユーザに対して享受できるサービスを可能な限り保証し、またコンテンツ提供元に対しては著作権保護を考慮した使い勝手の良い受信サービスを提供することを目的とする。
【０００８】
【課題を解決するための手段】
上記目的達成のため、本発明では、放送受信機に以下の手段を設ける。
（０）  放送サービス事業者から受信サービス情報（契約情報やサービス内容、放送サービス事業者や自機器のＩＰアドレス）を取得する手段
（１）  手段（０）で取得した放送サービス事業者との受信サービス情報（契約情報やサービス内容、放送サービス事業者や自機器のＩＰアドレス）を格納する手段
（２）  手段（１）の内容を追加、更新など管理する手段
（３）  自機器のＩＰアドレスを生成する手段
（４）  放送番組を録画する手段
（５）  手段（４）で録画した放送番組の内、手段（１）で示すサービス内容の放送番組に関するインデックス情報（放送日時や番組名、削除されたか否かを示すステータス）を格納する手段
（６）  手段（５）で格納するインデックス情報をサービス事業者センタや他の放送受信機に対して公開するか否かを設定する手段
（７）  インターネット経由でサービス事業者センタや他の放送受信機とデータ通信する手段
（８）  手段（３）で生成したＩＰアドレスと手段（６）の設定内容を手段（７）を介してサービス事業者センタに通知する手段
（９）  手段（７）を介してサービス事業者センタから手段（８）で通知した内容が登録された旨を受信する手段
（１０）  手段（１）で示すサービス内容の過去の番組表を取得する手段
（１１）  手段（１０）で取得した過去の番組表を格納する手段
（１２）  手段（５）で格納するインデックス情報や手段（１１）で格納する番組表の内容を生成、追加、更新など管理する手段
（１３）  手段（７）を介してサービス事業者センタや他の放送受信機からインデックス情報の送信要求を受信する手段
（１４）  手段（６）の設定内容に基づき、前記インデックス情報をサービス事業者センタや他の放送受信機に対して送信するか否かを判断する手段
（１５）  手段（７）を介して前記インデックス情報をサービス事業者センタや他の放送受信機に対して送信する手段
（１６）  ユーザが他の放送受信機から手段（７）を介してダウンロードする番組を決定する手段
（１７）  手段（１６）で決定した番組を格納する他の放送受信機のＩＰアドレスを手段（７）を介してサービス事業者センタに対して要求する手段
（１８）  手段（７）を介してサービス事業者センタとの間で正式な契約者であることや正規に認定され製造された放送受信機であるかを認証する手段
（１９）  手段（１６）で決定した番組を格納する放送受信機のＩＰアドレスを手段（７）を介して受信する手段
（２０）  手段（１９）で受信した放送受信機に対して手段（１６）で決定した番組を手段（７）を介して送信することを要求する手段
（２１）手段（２０）で送信要求した放送受信機から手段（７）を介して番組を受信する手段
（２２）  手段（７）を介して他の放送受信機からの番組送信要求を受信する手段
（２３）  手段（２２）で番組送信要求を発行した放送受信機に対して手段（７）を介して番組を送信する手段
（２４）  手段（１１）で格納した過去の番組表を自機器に内蔵しているモニタ、あるいは別接続のモニタに表示する手段
また、サービス事業者センタに以下の手段を設ける。
（２５）  契約者に関する情報（契約情報、ＩＰアドレス、インデックス情報の公開の有無）を格納する手段
（２６）  手段（２５）の内容を追加、更新など管理する手段
（２７）  インターネット経由で契約者の放送受信機とデータ通信する手段
（２８）  手段（２７）を介して放送受信機からＩＰアドレスとインデックス情報の設定内容を受信する手段
（２９）  手段（２７）を介して放送受信機に対して登録した旨を通知する手段（３０）  手段（２７）を介して放送受信機に対してインデックス情報の送信を要求する手段
（３１）  手段（２７）を介して放送受信機からインデックス情報を受信する手段
（３２）  手段（２７）を介して放送受信機から所望の番組を格納する放送受信機のＩＰアドレスの送信要求を受信する手段
（３３）  手段（２５）で受信したインデックス情報から、手段（２６）で指示された番組を格納する放送受信機を抽出する手段
（３４）  手段（２７）で抽出した放送受信機のＩＰアドレスを手段（２３）を介して手段（２６）で送信要求を発行した放送受信機に対して送信する手段
（３５）  手段（２７）を介して手段（３２）で送信要求を発行した放送受信機との間で正式な契約者であることや正規に認定され製造された機器であるかを認証する手段
次に、本発明のサービスを使用するために放送受信機で必要な初期処理について説明する。
（１）  手段（１）で格納したサービス事業者センタのＩＰアドレスを参照して、手段（３）を用いて自機器のＩＰアドレスを生成する。
（２）  手段（６）を用いて手段（１）で示すサービス内容の放送番組に関するインデックス情報を公開するか否かを設定する。（常に公開すると設定しても良い。）
（３）  手段（８）を用いて（１）で生成したＩＰアドレスと（２）の設定結果をサービス事業者センタに通知する。
（４）  手段（９）を用いてサービス事業者センタから正式に登録通知を受信した場合、手段（２）を用いて自機器のＩＰアドレスを受信サービス情報に登録する。
（５）  手段（１０）を用いて過去の番組表を取得し、手段（１１）を用いて格納する。
（６）  手段（１２）を用いてインデックス情報を生成し、手段（５）を用いて格納する。
【０００９】
一方、サービス事業者センタで必要な初期処理は以下の通りである。
（７）  手段（２８）を用いて（３）で放送受信機からＩＰアドレスとインデックス情報の設定内容を受信すると、手段（２６）を用いてＩＰアドレスとインデックス情報の設定内容を登録する。
（８）  手段（２９）を介して登録した旨を放送受信機に通知する。
【００１０】
次に、放送受信機で放送番組を録画した際に必要な処理について説明する。
（１）  手段（４）を用いて放送番組の録画が終了した場合、該録画番組が手段（１）で示すサービス内容の放送番組であるか否かをチェックする。
（２）  （１）でチェックした結果、該録画番組が手段（１）で示す放送番組の場合、該録画番組に関するインデックス情報を作成し、手段（５）で格納するインデックス情報に手段（１２）を用いて更新する。
（３）  手段（４）で格納された録画番組がユーザによって削除、あるいは他の録画機器にダビングされた場合は、手段（５）で格納するインデックス情報を手段（１２）を用いて更新する。
【００１１】
次に、放送受信機Ａが他の放送受信機Ｂから所望の番組をダウンロードする処理について説明する。
（１）  放送受信機Ａは、手段（２４）を用いて過去の番組表を表示し、手段（１６）によりユーザにダウンロードする番組を決定してもらう。
（２）  放送受信機Ａは、（１）で決定した番組が既に自機器で録画したことのある放送番組であるか否かを手段（５）で格納したインデックス情報に基づき判断する。
（３）  （２）の結果、既に録画したことのある番組であれば「ダウンロードできない」旨を手段（２４）を用いて表示する。録画していない番組であれば、手段（１７）を用いて該番組を格納する他の放送受信機を検索し、そのＩＰアドレスを送信するようにサービス事業者センタに要求する。
（４）  手段（３２）を用いて（３）の要求を受信したサービス事業者センタは、手段（３５）を用いて放送受信機Ａが正式な契約者であり、正規に認定され製造された機器であることを確認した後、手段（２５）で格納した契約者に関する情報の中からインデックス情報を公開している放送受信機を抽出し、それらの放送受信機に対して手段（３０）を用いてインデックス情報を送信するように要求する。
（５）  手段（１３）を用いて（４）の要求を受信した放送受信機Ｂは、手段（１４）を用いてインデックス情報をサービス事業者センタに送信可能か否かを判断し、送信可能な場合は手段（１５）を用いてサービス事業者センタに対してインデックス情報を送信する。
（６）  手段（３１）を用いて（５）のインデックス情報を受信したサービス事業者センタは、該インデックス情報を参照し、手段（３３）を用いて（３）で要求された番組が存在するか否かをチェックする。該番組が存在しない場合、再度（４）を実行する。該番組が存在する場合は、手段（３４）を用いて放送受信機ＢのＩＰアドレスを放送受信機Ａに対して送信する。
（７）  手段（１９）を用いて（６）の放送受信機ＢのＩＰアドレスを受信した放送受信機Ａは、手段（２０）を用いて放送受信機Ｂに対して指定番組を送信するように要求する。
（８）  手段（２２）を用いて（７）の番組送信要求を受信した放送受信機Ｂは、手段（２３）を用いて該指定番組を放送受信機Ａに対して送信する。
（９）  手段（２１）を用いて指定番組を受信した放送受信機Ａは、手段（４）を用いて該指定番組を格納し、該番組に関するインデックス情報を作成し、手段（５）で格納するインデックス情報に手段（１２）を用いて更新する。
【００１２】
【発明の実施の形態】
本発明の実施例について図面を参照して説明する。
図１は、本発明を説明するための一実施例であり、複数の家庭内で設置した放送受信機とサービス事業者から成るデジタル放送受信システムの構成を示したものである。
【００１３】
複数の家庭−Ａさん家５０、Ｂさん家６０、Ｃさん家７０−には、それぞれ本発明における放送受信機−ＳＴＢ１１０、ＤＴＶ１４０、ＤＴＶ１６０−を設置する。これらの放送受信機は、ＩＥＥＥ１３９４やＬＡＮなどの有線／無線ネットワークを用いて他のデジタルＡＶ機器を接続することが可能である。ここで、Ａさん家５０ではＩＥＥＥ１３９４バス２０を用いてＳＴＢ１００、ＤＴＶ１２０、ＤＶＤ１３０が接続され、同様にＢさん家６０もＤＴＶ１４０、ＤＶＴＲ１５０が接続されているものとする。
【００１４】
各放送受信機は、放送局１１から通信衛星、地上波、ケーブルを利用してデジタル放送番組を受信する。また、特定のサービス事業者センタ１０や他の放送受信機との間でインターネット接続することにより双方向通信を可能とする。
【００１５】
次に、図２を用いて、図１のＳＴＢ１１０の一構成について説明する。
ＳＴＢ１１０は、チューナ処理部２０１、デスクランブラ２０２、デマルチプレクサ２０３、デコーダ２０４、１３９４Ｉ／Ｆ２０５、入力処理部２０６、記録処理部２０７、番組記録メモリ２０８、タイマー管理部２０９、受信サービス管理部２１０、受信サービス情報メモリ２１１、インデックス情報管理部２１２、インデックス情報メモリ２１３、ＩＰネットワークＩ／Ｆ２１４、制御部２１５から構成されている。
【００１６】
チューナ処理部２０１は、放送局１１から受信した複数のチャンネルから所望のチャンネルを選局し、デジタル変調された番組を復調する部分である。デスクランブラ２０２は、サービス事業者と契約したチャンネルのみを受信可能とするためにかけられている放送番組のスクランブルを解除する部分である。デマルチプレクサ２０３は、放送番組から音声データ、映像データを抽出する部分である。デコーダ２０４は、圧縮された音声データや映像データを復号し、元の音声信号、映像信号に伸長する部分である。
【００１７】
１３９４Ｉ／Ｆ２０５は、ＩＥＥＥ１３９４バス２０で接続した他のＡＶ機器（例えば、ＤＴＶ１２０やＤＶＤ１３０）との間でＡＶストリームや制御コマンドを送受信する部分であり、送信するＡＶストリームの暗号化や暗号化されたＡＶストリームの複号化も行う。入力処理部２０６は、リモコンやタッチパネルなどを利用してユーザがＳＴＢ１０１を操作する部分である。記録処理部２０７は、放送局１１から受信した放送番組を番組記録メモリ２０８に記録するための記録制御を行う部分である。
【００１８】
番組記録メモリ２０８は、放送番組を記録するメモリである。磁気ディスクや光ディスク、メモリカード、そしてこれらを組み合わせたハイブリッド形態などが考えられる。タイマー管理部２０９は、現在の時間情報や放送番組のタイマー予約を管理する部分である。受信サービス管理部２１０は、受信サービス情報メモリ２１１に格納した放送サービス事業者との受信サービス情報を管理する部分である。受信サービス情報メモリ２１１は、前記受信サービス情報を格納するメモリである。
【００１９】
インデックス情報管理部２１２は、インデックス情報メモリ２１３に格納した番組記録メモリ２０８に記録した放送番組に関するインデックス情報を管理する部分である。インデックス情報メモリ２１３は、前記インデックス情報を格納するメモリである。ＩＰネットワークＩ／Ｆ２１４は、インターネット（本実施例ではＩＰｖ６を使用）経由でサービス事業者センタ１０や他の放送受信機（例えば、ＤＴＶ１４０、１６０）とデータを送受信する部分である。制御部２１５は、ＳＴＢ１１０における各部の動作を統括的に制御する部分である。
【００２０】
同様に、図１２を用いて、ＤＴＶ１４０の一構成について説明する。
ＤＴＶ１４０は、放送番組やメッセージをモニタに表示する部分である表示処理部２１６をＳＴＢ１１０に追加した構成となり、ＤＴＶ１６０も同様の構成とする。ここで、ＳＴＢ１１０、ＤＴＶ１４０の受信サービス情報メモリ２１１やインデックス情報メモリ２１３は、ＩＣカード等の着脱可能なメモリであっても良い。また、受信サービス管理部２１０やインデックス情報管理部２１２は、ＩＣカード等のメモリ内に存在しても良い。
【００２１】
次に、図３を用いて、図１の放送サービス事業者センタ１０の一構成について説明する。放送サービス事業者センタ１０は、入力処理部３０１、ＩＰネットワークＩ／Ｆ３０２、契約者情報管理部３０３、契約者情報メモリ３０４、制御部３０５から構成されている。入力処理部３０１は、リモコンやタッチパネル、キーボード、マウスなどを利用してＳ放送サービス事業者センタ１０を操作する部分である。
【００２２】
ＩＰネットワークＩ／Ｆ３０２は、インターネット経由で放送受信機（例えば、ＳＴＢ１１０、ＤＴＶ１４０、１６０）とデータを送受信する部分である。契約者情報管理部３０３は、契約者情報メモリ３０４に格納した放送サービス事業者と契約したユーザに関する情報を管理する部分である。契約者情報メモリ３０４は、該契約者情報を格納するメモリである。制御部３０５は、サービス事業者センタ１０における各部の動作を統括的に制御する部分である。
【００２３】
次に、図４を用いて、ＳＴＢ１１０の受信サービス情報メモリ２１１、およびＤＴＶ１４０の受信サービス情報メモリ２１１に格納する、放送サービス事業者との間の受信サービス情報のデータ構成について説明する。受信サービス情報４００は、サービス事業者センタの連絡先４０１、受信サービス内容４０２、自機器のＩＰアドレス４０３、グループリスト４０４から構成される。
【００２４】
サービス事業者センタの連絡先４０１は、ユーザが電話で連絡するための電話番号と、インターネット３０経由でアクセスするために必要なサービス事業者センタのＩＰアドレスを含む。受信サービス内容４０２は、サービス事業者がユーザを識別するための唯一の識別子である契約ＩＤと、該契約ＩＤに基づきユーザが契約したチャンネル番号を含む。
【００２５】
自機器のＩＰアドレス４０３は、ＳＴＢ１１０、ＤＴＶ１４０のＩＰアドレスを示し、サービス事業者との間で受信契約した際にＳＴＢ１１０、ＤＴＶ１４０で自動生成する。グループリスト４０４は、録画した放送番組をインターネット３０経由で転送可能な複数の放送受信機（ユーザ）から成るグループを示す。この際、サービス事業者と契約した放送受信機の間でのみ放送番組を交換可能となる。該サービス事業者の契約者全てが参加するグループや、仲間同士で参加するグループなど契約者が任意に作成するグループなどがある。
【００２６】
ここで、図５を用いて、自機器のＩＰアドレス４０３の構成について説明する。ＩＰアドレス４０３は、上位６４ビットのネットワークプレフィックス５０１と下位６４ビットのインタフェースＩＤ５０２から構成される。ネットワークプレフィックス５０１は、接続しているネットワークの識別子として用い、通常はステートレスアドレス自動設定機能を利用してルータの通知する値を設定する。インタフェースＩＤ５０２は、該ネットワーク上に存在する機器の識別子として用い、ツイストペア線によるＬＡＮの場合は４８ビットのＭＡＣアドレスを設定するが、本実施例ではＩＰネットワークＩ／Ｆ２１４で格納されたＭＡＣアドレスを設定する。
【００２７】
次に、図６を用いて、ＳＴＢ１１０およびＤＴＶ１４０のインデックス情報メモリ２１３に格納する、録画した放送番組に関するインデックス情報のデータ構成について説明する。インデックス情報６００は、大きく番組インデックス６１０と番組表データ６２０から構成される。番組インデックス６１０は、ＳＴＢ１１０、ＤＴＶ１４０の番組記録メモリ２０８に録画した放送番組の内、前記受信サービス内容４０２が示す契約チャンネルの放送番組に限定し、現時点からある一定期間前に録画した放送番組（例えば、過去１週間に記録された放送番組のみ）に関する情報を格納し、放送日時６１１、番組名６１２、ステータス６１３から構成される。
【００２８】
放送日時６１１は、該契約チャンネルの放送番組が放送された日時を示す。番組名６１２は、該契約チャンネルの放送番組の名前を示す。ステータス６１３は、録画した放送番組の現在の状態を示す。例えば、番組記録メモリ２０８に該放送番組が格納されている場合は「ダウンロード可」、既に該放送番組を削除した場合や１３９４Ｉ／Ｆ２０５を介して他の録画機器にダビング済みの場合は「削除（出力済）」と設定する。
【００２９】
番組表データ６２０は、現時点からある一定期間前の契約チャンネルに関する番組表を示す。該番組表データ６２０は、放送局１１から放送番組と共に配信される番組表データを蓄積する方法や、インターネット３０経由でサービス事業者センタ１０から取得する方法がある。本実施例では、過去１週間分の番組表データを常に格納しているものとする。
【００３０】
次に、図７を用いて、サービス事業者センタ１０の契約者情報メモリ３０４に格納する契約者情報の構成について説明する。契約者情報７００は、サービス事業者と契約したユーザに関する情報を格納するもので、契約者７０１、契約ＩＤ７０２、ＩＰアドレス７０３、インデックス７０４、グループリスト７０５から構成される。契約者７０１は、契約したユーザの名前を示す。契約ＩＤ７０２は、契約したユーザを識別するための唯一の識別子であり、前記受信サービス情報４００内の受信サービス内容４０２の契約ＩＤと同様のものである。
【００３１】
ＩＰアドレス７０３は、契約したユーザが使用する放送受信機のＩＰアドレスを示し、前記受信サービス情報４００内の自機器のＩＰアドレス４０３と同様のものである。インデックス７０４は、契約したユーザが使用する放送受信機に格納する前記インデックス情報６００内の番組インデックス６１０の内容をサービス事業者センタや他の放送受信機に対して公開するか（「公開」）否か（「非公開」）を示す。この内容は契約したユーザが任意に設定することが可能であり、「公開」の場合は他の放送受信機に対して録画した放送番組を転送することでき、「非公開」の場合は転送できないことを示す。
【００３２】
グループリスト７０５は、契約したユーザが録画した放送番組を交換可能な複数の放送受信機から成るグループを示し、前記受信サービス情報４００内のグループリスト４０４と同様のものである。
【００３３】
次に、図８を用いて、ＳＴＢ１１０がサービス事業者との間で契約を行う際に必要な初期設定手順について説明する。ここで、ＤＴＶ１４０についても同様の手順とする。まず、ユーザはサービス事業者に契約する旨を電話／専用葉書で通知し、サービス事業者から放送波で受信サービス情報４００内のサービス事業者センタの連絡先４０１、受信サービス内容４０２、グループリスト４０４を送信してもらう。該情報を受信したＳＴＢ１１０の受信サービス管理部２１０は、該情報を受信サービス情報メモリ２１１に格納する（ステップ８０１）。
【００３４】
次に、ユーザは入力処理部２０６を介して初期設定を指示すると、受信サービス管理部２１０に格納された初期設定プログラムが起動する（ステップ８０２）。該初期設定プログラムが起動すると、受信サービス管理部２１０は、受信サービス情報４００内のサービス事業者センタの連絡先に含まれるＩＰアドレスとＩＰネットワークＩ／Ｆ２１４で格納されたＭＡＣアドレスとを用いて、自機器１１０のＩＰアドレスを生成し、受信サービス情報４００内の自機器のＩＰアドレス４０３に格納する（ステップ８０３）。次に、受信サービス管理部２１０は、生成したインデックス情報６００の内容をサービス事業者センタ１０や他の放送受信機に対してインターネット３０経由で送信することを許可するか否かをユーザに設定してもらう（ステップ８０４）。その結果、ユーザが許可すると設定した場合は、番組記録メモリ２０８に録画した契約チャンネルの放送番組をインターネット３０経由で転送する放送受信機を限定するためのグループ（すなわちグループリスト）の中から自機器１１０が加入するグループを選択あるいは新規に生成し、受信サービス情報４００内のグループリスト４０４に格納する（ステップ８０５）。次に、受信サービス管理部２１０は、ステップ８０３で生成した自機器１１０のＩＰアドレスと、ステップ８０４で設定したインデックス情報６００の公開可否と、ステップ８０５で選択あるいは生成したグループリスト４０４と、サ受信サービス情報４００内の契約ＩＤとを含む登録要求メッセージを、ＩＰネットワークＩ／Ｆ２１４を介してインターネット３０経由でサービス事業者センタ１０に対して送信する。該メッセージの宛先として受信サービス情報４００内のサービス事業者センタの連絡先に含まれるＩＰアドレスを設定する（ステップ８０６）。
【００３５】
前記メッセージを受信したサービス事業者センタ１０では、契約者情報管理部３０３が契約者情報メモリ３０４に格納した契約者情報７００の中から該メッセージに含まれる契約ＩＤを含んだ項目を抽出し、その項目に該メッセージに含まれるＩＰアドレス７０３、インデックス情報の公開可否７０４、グループリスト７０５を格納する（ステップ８０７）。その後、サービス事業者センタ１０は、契約者情報７００に登録したメッセージをインターネット３０経由でＳＴＢ１１０に送信する（ステップ８０８）
前記メッセージを受信したＳＴＢ１１０では、インデックス情報管理部２１２が、インデックス情報６００内の番組表データ６２０に放送局１１から放送番組と共に配信される現時点からの番組表データを格納することを開始する（ステップ８０９）。また、インデックス情報管理部２１２は、インデックス情報６００内の番組インデックス６１０を新規に生成する（ステップ８１０）。
【００３６】
ここで、ステップ８０４では、インデックス情報６００の送信可否をユーザに設定してもらうが、自機器１１０側で常に許可すると設定する方法や、初期処理時は許可しないと設定し、後からユーザが任意に設定を変更できるようにする方法もある。
【００３７】
次に、ＳＴＢ１１０が放送番組を録画する際に必要な手順について説明する。ここで、ＤＴＶ１４０についても同様の手順とする。ユーザからの入力処理部２０６を介した録画指示やタイマー管理部２０９に設定された録画予約の実行により、記録処理部２０７は現在受信している放送番組を番組記録メモリ２０８に記録する。録画開始してからある一定期間後（例えば、１０分後）あるいは全て録画した後に、記録処理部２０７は、番組記録メモリ２０８に記録した番組に関する情報（放送日時、番組名、録画時間など）を取得し、番組記録メモリ２０８内に格納する。
【００３８】
インデックス情報管理部２１２は、記録処理部２０７から番組記録メモリ２０８に新規に番組を録画した旨を通知してもらう、あるいは常時番組記録メモリ２０８内の状態を監視するなどの方法で、番組記録メモリ２０８に番組を録画したことを検知する。そして、該番組が受信サービス情報４００内の受信サービス内容４０２に記載されている契約チャンネルであるか否かをチェックする。該番組が該契約チャンネルでない場合はなにもしない。該番組が該契約チャンネルの場合は、インデックス情報６００内の番組インデックス６１０に、該番組に関する情報（放送日時、番組名、ステータス）を書き込む。
【００３９】
また、インデックス情報管理部２１２は、インデックス情報６００内の番組表データ６２０に過去１週間分の番組表データを格納するようにし、それと同時に番組インデックス６１０の内容も過去１週間に録画した番組に関する情報だけを格納するように常に管理する。
【００４０】
上記と同様に、ユーザが入力処理部２０６を介して番組記録メモリ２０８内に録画した番組を削除するように指示した場合、記録処理部２０７は、番組記録メモリ２０８内に格納された該番組と該番組に関する情報放送日時、番組名、録画時間など）を削除する。
【００４１】
インデックス情報管理部２１２は、記録処理部２０７から番組記録メモリ２０８の番組を削除した旨を通知してもらう、あるいは常時番組記録メモリ２０８内の状態を監視するなどの方法で、番組記録メモリ２０８の番組が削除されたことを検知する。そして、該番組が受信サービス情報４００内の受信サービス内容４０２に記載されている契約チャンネルであるか否かをチェックする。該番組が該契約チャンネルでない場合はなにもしない。該番組が該契約チャンネルの場合は、インデックス情報６００内の番組インデックス６１０の中から該番組に関する情報を抽出し、ステータス６１３に「削除（出力済）」を書き込む。番組記録メモリ２０８内に格納した番組を他の録画装置にダビングした場合も上記と同様の処理を行う。
【００４２】
次に、図１０を用いて、本発明の特徴である複数の放送受信機の間で録画した放送番組をダウンロードする手順について説明する。分かりやすく説明するために、図９に示すに、Ｂさん家６０のユーザが昨日放映された番組Ｘ３の録画に失敗した為、インターネット３０経由でＡさん家５０のＳＴＢ１１０からダウンロードする状況を想定する。ここで、Ｂさん家６０のＤＴＶ１４０とＡさん家５０のＳＴＢ１１０は共通してチャンネルＸに契約しているものとし、ダウンロードする番組Ｘ３は該契約チャンネルの放送番組とする。また、Ａさん家５０のＳＴＢ１１０の番組記録メモリ２０８には、番組Ｘ３が格納されているものとする。
【００４３】
まず、Ｂさん家６０のユーザは、ＤＴＶ１４０の入力処理部２０６を介して番組ダウンロードを指示すると、制御部２１５は番組ダウンロードプログラムを起動する（ステップ１００１）。該プログラムが起動すると、インデックス情報管理部２１２は、インデックス情報メモリ２１３に格納したインデックス情報６００から、契約しているチャンネルＸ、Ｙの過去１週間分の番組表を表示処理部２１６に表示する（ステップ１００２）。表示する番組表画面の一例を図１１（ａ）に示す。画面１１００上には、インデックス情報６００内の番組表データ６２０の内容（過去１週間分の番組表）を表示し、その上に番組インデックス６１０の情報を重ねて表示する。例えば、ステータス６１３が「ダウンロード可」の場合は項目１１０１、ステータス６１３が「削除（出力済）」の場合は項目１１０２、それ以外は項目１１０３のように色を代えるなどして識別できるようにする。項目１１０１や項目１１０２の番組は既に番組記録メモリ２０８に格納したことがあるため、これらの番組をインターネット３０経由で他の放送受信機からダウンロードすることはできない。したがって、ダウンロード可能な番組は項目１１０３のみとなる。
【００４４】
ステップ１００２で表示した番組表画面１１００上で、ユーザにより入力処理部３０７を介してダウンロードする番組（番組Ｘ３）を選択してもらう（ステップ１００３）。その後、インデックス情報管理部２１２は、該選択番組（番組Ｘ３）と、受信サービス情報４００内のＤＴＶ１４０のＩＰアドレスと契約ＩＤを含む番組取得要求メッセージを、ＩＰネットワークＩ／Ｆ２１４を介してインターネット３０経由でサービス事業者センタ１０に対して送信する（ステップ１００４）。
【００４５】
前記メッセージを受信したサービス事業者センタ１０は、選択番組（番組Ｘ３）が過去１週間以内に放送した番組であることを確認した後、契約者情報７００の中から該メッセージに含まれるＩＰアドレスと契約ＩＤを含んだ項目を検索し、該メッセージの送信元が正式な契約者であるか否かを認証する（ステップ１００５）。
【００４６】
また、前記メッセージの送信元のＤＴＶ１４０が正規に認定され製造された放送受信機であるか否かを認証する（ステップ１００６）。例えば、サービス事業者センタ１０とＤＴＶ１４０が著作権保護方式に準拠した認証プロトコルに従って相互認証を実行し、インターネット３０上で転送する際に番組を暗号化／復号化するための鍵データを両者間で共有するなどの方法がある。
【００４７】
ステップ１００５、ステップ１００６で前記メッセージの送信元が正式な契約者で、かつＤＴＶ１４０が正規に認定された放送受信機である場合、サービス事業者センタ１０は、契約者情報メモリ３０４に格納した契約者情報７００の中からインデックス７０４が「公開」と設定されている放送受信機を検索する（ステップ１００７）。インデックス４０５を「公開」に設定している放送受信機が存在する場合、該放送受信機（本実施例では、Ａさん家５０のＳＴＢ１１０）に対してインデックス情報２１２の内容の送信要求メッセージをインターネット３０経由で送信する（ステップ１００８）。一方、「公開」に設定した放送受信機が存在しない場合は、その旨をＤＴＶ１４０に対してメッセージ通知する。
【００４８】
前記メッセージを受信したＳＴＢ１１０のインデックス情報管理部２１２は、インデックス情報６００の送信を許可していることを確認した後、インデックス情報メモリ２１３に格納したインデックス情報６００内の番組インデックス６１０内容を少なくとも一部含むメッセージをＩＰネットワークＩ／Ｆ２１４を介してサービス事業者センタ１０に送信する（ステップ１００９）。
【００４９】
前記メッセージを受信したサービス事業者センタ１０は、メッセージに含まれる番組インデックス６１０の中に選択番組（番組Ｘ３）が含まれており、そのステータス６１３が「ダウンロード可」と設定されているかチェックする（ステップ１０１０）。その結果、番組Ｘ３の情報が含まれていない、あるいは「ダウンロード可」に設定されていない場合は、ステップ１００７の処理を再度実行する。番組Ｘ３が含まれ、そのステータスが「ダウンロード可」に設定されている場合は、Ａさん家５０のＳＴＢ１１０のＩＰアドレスを含むメッセージをＤＴＶ１４０に対して送信する（ステップ１０１１）。ここで、サービス事業者センタ１０は、ステップ１００６で実行した相互認証でＤＴＶ１４０と共有した鍵データと、ＤＴＶ１４０のＩＰアドレスとを含むメッセージをＳＴＢ１１０に対して送信し、ＳＴＢ１１０がＤＴＶ１４０に対して番組を送信する際に該鍵データを用いて暗号化することを指示する方法もある。
【００５０】
前記メッセージを受信したＤＴＶ１４０は、該メッセージに含まれるＩＰアドレスが示すＳＴＢ１１０に対して番組Ｘ３を含む送信要求メッセージをＩＰネットワークＩ／Ｆ２１４を介して送信する（ステップ１０１２）。前記メッセージを受信したＳＴＢ１１０は、番組記録メモリ２０８に格納した番組Ｘ３の内容をＩＰネットワークＩ／Ｆ２１４を介してＤＴＶ１４０に対して送信する（ステップ１０１２）。
【００５１】
前記番組Ｘ３を受信したＤＴＶ１４０の記録処理部２０７は、該番組内容を番組記録メモリ２０８に格納する（ステップ１０１４）。その後、インデックス情報管理部２１２は、インデックス情報メモリ２１３に格納したインデックス情報６００に該番組に関する情報を書き込む（ステップ１０１５）。これ以降、ＤＴＶ１４０は前記番組Ｘ３を他の放送受信機から再度ダウンロードしようとしてもできなくなる。
【００５２】
ここで、ステップ１００４〜ステップ１０１５の処理を実行中に、ＤＴＶ１４０の表示処理部２１６で表示する画面の一例を図１１（ｂ）に示す。以上の手順により、ＤＴＶ１４０は、インターネット３０経由で同じ受信サービスに契約しているＳＴＢ１１０から所望の番組を簡単にダウンロードすることが可能となる。ここで、ステップ１００８〜ステップ１０１０では、サービス事業者センタ１０が取得したインデックス情報６００に所望の番組が含まれているか否かをチェックしているが、ステップ１００８で所望の番組を含むメッセージをＳＴＢ１１０に送信し、ＳＴＢ１１０側でインデックス情報６００に該番組が含まれているか否かをチェックする方法もある。
【００５３】
また、ステップ１００４において、ＤＴＶ１４０は、所望の番組を要求すると同時に、受信サービス情報４００内のグループリスト４０４の中から任意のグループを選択し、それをメッセージ内に含んで送信する方法もある。この場合、ステップ１００７において、サービス事業者センタ１０は、該グループのメンバである放送受信機の中からインデックス７０４が「公開」と設定されている放送受信機を検索する。
【００５４】
また、ステップ１００３〜１００２において、ＤＴＶ１４０側がダウンロード可能な番組か否かを判断しているが、ステップ１００４でサービス事業者センタ１０へ指定番組の取得要求を発行した後に、サービス事業者センタ１０側で判断してもらう方法もある。
【００５５】
以上から、本実施例では、デジタル放送サービスにより配信される放送番組を受信する機能を備えた放送受信機１１０において、放送番組を録画する手段（記録処理部２０７、番組記録メモリ２０８）と、受信サービスに関する情報を管理する手段（受信サービス管理部２１０、受信サービス情報メモリ２１１）と、前記番組記録メモリ２０８に録画した契約チャンネルの放送番組に関する情報を管理する手段と（インデックス情報管理部２１２、インデックス情報メモリ２１３）、インターネット経由でデータ転送するための通信手段（ＩＰネットワークＩ／Ｆ２１４）を設け、またデジタル放送サービスのサービス事業者センタ１０において、契約者に関する情報を格納する手段（契約者情報３０３、契約者情報メモリ３０４）と、インターネット経由でデータ転送するための通信手段（ＩＰネットワークＩ／Ｆ３０２）を設けることにより、ユーザはサービス事業センタに所望の放送番組を記録した放送受信機を教えてもらい、該放送受信機から直接インターネット経由で該番組をダウンロードすることができる。
【００５６】
なお、本実施例では主に有料放送に契約したユーザに関する内容であったが、ＰＰＶ放送に契約したユーザにも適用できる。この場合、ＳＴＢ１１０やＤＴＶ１４０は、課金情報の他に、インデックス情報６００内にＰＰＶの購入情報を格納し、ＰＰＶ購入した際は該課金情報と該購入情報を更新するようにする。そして、上述した図１０に示す手順でユーザがＰＰＶ購入していない番組をインターネット３０経由で他の放送受信機からダウンロードした場合、インデックス情報６００内の購入情報を更新すると共に、前記課金情報の内容も更新し、サービス事業者に対して正しく課金されるようにする。
【００５７】
また、本実施例の放送受信システムにポイント制度を導入し、インターネット３０経由で他の放送受信機に対して録画番組を送信した回数が多い放送受信機のユーザには、契約料金を割り引くあるいはプレゼント交換するなどのサービスが考えられる。
【００５８】
【発明の効果】
本発明によれば、以下の効果が得られる。
（１）サービス事業者と正式に契約したユーザの放送受信機の間で、契約したデジタル放送番組のみを、送信先の放送受信機で一度も該番組を録画していないことを確認した上で、インターネット経由で該番組の送信を許可するようにしているため、サービス事業者に対しては著作権保護を考慮した仕組みになっており、ユーザに対しては本来視聴／録画できるはずだった番組を容易に取得できる。
（２）サービス事業者センタは、番組配信を要求した放送受信機に対して、該番組を格納した放送受信機のＩＰアドレスを教えるだけで、実際の番組転送は放送受信機間で直接実行するため、本発明のサービスを実現する際に大規模なサーバーやシステム構築の投資は必要なく、負荷が集中することもない。
（３）ユーザは、自分の放送受信機に格納した録画番組に関する情報を公開するか否か任意に設定でき、またグループリストを選択することにより送信先／送信元を限定できるため、プライバシーを保護することができる。
【図面の簡単な説明】
【図１】本発明の実施形態であるシステムの一構成例
【図２】本発明の実施形態である放送受信機（ＳＴＢ）の一ブロック構成例
【図３】本発明の実施形態であるサービス事業者センタの一ブロック構成例
【図４】本発明の実施形態である放送受信機で管理する受信サービス情報の一構成例
【図５】本発明の実施形態であるＩＰｖ６アドレスの構成
【図６】本発明の実施形態である放送受信機で管理するインデックス情報の一構成例
【図７】本発明の実施形態であるサービス事業者センタで管理する契約者情報の一構成例
【図８】本発明の実施形態であるサービス事業者センタと放送受信機が契約時に実行する初期設定の手順を示す一シーケンス図
【図９】本発明の実施形態であるサービス事業者センタと複数の放送受信機が録画した放送番組をインターネット経由でダウンロードする概略を示す一概略図
【図１０】本発明の実施形態であるサービス事業者センタと複数の放送受信機が録画した放送番組をインターネット経由でダウンロードする手順を示す一シーケンス図
【図１１】本発明の実施形態である放送受信機が他の放送受信機からインターネット経由で放送番組をダウンロードする際に表示する一表示画面例
【図１２】本発明の実施形態である放送受信機（ＤＴＶ）の一ブロック構成例
【符号の説明】
１０…サービス事業者センタ
１１…放送局
３０…インターネット
１１０…ＳＴＢ
１４０…ＤＴＶ
２０８…番組記録メモリ
２１０…受信サービス管理部
２１１…受信サービス情報メモリ
２１２…インデックス情報管理部
２１３…インデックス情報メモリ
２１４…ＩＰネットワークＩ／Ｆ
３０３…契約者情報管理部
３０４…契約者情報メモリ
４００…受信サービス情報
６００…インデックス情報
７００…契約者情報
【図１】
2004260638.tif 000003
【図２】
2004260638.tif 000004
【図３】
2004260638.tif 000005
【図４】
2004260638.tif 000006
【図５】
2004260638.tif 000007
【図６】
2004260638.tif 000008
【図７】
2004260638.tif 000009
【図８】
2004260638.tif 000010
【図９】
2004260638.tif 000011
【図１０】
2004260638.tif 000012
【図１１】
2004260638.tif 000013
【図１２】
2004260638.tif 000014